(57)【特許請求の範囲】
【請求項１】
画像が表示される画面を有する表示装置と、
前記表示装置を収容する筐体と、
前記筐体に収容され照度を検出する照度センサと、
外光を前記照度センサに導く導光路と、
前記照度センサの検出に基づいて前記画面の輝度を制御する制御部とを備え、
前記筐体は、前記画面の外側に配置された透明部材と、この透明部材の外側に配置された不透明部材とを有し、
前記導光路は、前記透明部材と、前記透明部材に形成され外光を前記照度センサに向けて反射させる光反射面とを含んで構成され、
前記不透明部材は、前記透明部材の前方に位置する部分を有し、
前記光反射面は、前記透明部材の前方に位置する前記不透明部材の部分の後方に配置されている、
ディスプレイ装置。
【請求項２】
前記画面は矩形状を呈し、
前記透明部材は、前記画面の下辺に沿って左右に延在しており、
前記不透明部材は、前記透明部材の下部の前方で前記透明部材に沿って左右に延在しており、
前記透明部材の前方に位置する前記不透明部材の部分は、前記不透明部材の上部である、
請求項１記載のディスプレイ装置。
【請求項３】
前記画面は矩形状を呈し、
前記透明部材は、前記画面の下辺に沿って左右に延在しており、
前記不透明部材は、前記透明部材の下部の前方で前記透明部材に沿って左右に延在しており、
前記透明部材の前方に位置する前記不透明部材の部分は、前記不透明部材の上部であり、
前記光反射面は、前記不透明部材の上部の後方に位置する前記透明部材の箇所に、前方かつ下方を向いて形成されている、
請求項１記載のディスプレイ装置。
【請求項４】
前記画面は矩形状を呈し、
前記透明部材は、前記画面の下辺に沿って左右に延在しており、
前記不透明部材は、前記透明部材の下部の前方で前記透明部材に沿って左右に延在しており、
前記透明部材の前方に位置する前記不透明部材の部分は、前記不透明部材の上部であり、
前記光反射面は、前記不透明部材の上部の後方に位置する前記透明部材の箇所に、前方かつ下方を向いて形成され、
前記照度センサは、前記不透明部材の後方に配置されている、
請求項１記載のディスプレイ装置。
【請求項５】
前記透明部材が前方に臨む前面が、前記導光路の光入射部となっている、
請求項１記載のディスプレイ装置。
【発明の詳細な説明】
【技術分野】
【０００１】
本発明はディスプレイ装置に関する。
【背景技術】
【０００２】
画像が表示される画面を有する表示装置を収容する筐体に、周囲の照度を検出する照度センサを組み込み、照度センサの検出に基づいて画面の輝度を調整することで画面を見やすくしたディスプレイ装置が種々提供されている（特許文献１参照）。
このようなディスプレイ装置において外光を照度センサに導く導光路を設ける場合、筐体の外観性を高める上で、導光路をなるべく目立たせないようにする必要があることから、目立たない色を呈するカバーで導光路を覆うようにしている。
しかしながら、専用のカバーを設けなくてはならないことから、部品コストおよび組み立てコストの低減を図る上で不利がある。
そこで、導光路とカバーを一体化した構造が提案されている（特許文献２参照）。
しかしながら、このような構造では、筐体の外面にカバーが取着されることから、デザイン性の自由度を図る上で、また、外観性の向上を図る上で不利がある。
ところで、近年、筐体に光を透過する透明材料で形成された加飾部品としての透明部材を取着したディスプレイ装置が提供されている。
このようなディスプレイ装置では、透明部材の背面に導光路を取着し、透明部材を通過した外光を導光路の光反射面により照度センサに向けて反射させている。
【特許文献１】特開２０００−２０００７７
【特許文献２】特開平７−２６４５０９
【発明の開示】
【発明が解決しようとする課題】
【０００３】
しかしながら、透明部材の背面に導光路を取着した構成では、透明部材と導光路の２つの部品が必要となることからコストダウンを図る上で不利があり、また、透明部材を介して導光路や光反射面が透けて見えてしまうことから外観性の向上を図る上で限界がある。
本発明はこのような事情に鑑みなされたものであり、その目的は、製造コストの低減を図りつつ外観性の向上を図る上で有利なディスプレイ装置を提供することにある。
【課題を解決するための手段】
【０００４】
上述の目的を達成するため、本発明のディスプレイ装置は、画像が表示される画面を有する表示装置と、前記表示装置を収容する筐体と、前記筐体に収容され照度を検出する照度センサと、外光を前記照度センサに導く導光路と、前記照度センサの検出に基づいて前記画面の輝度を制御する制御部とを備え、前記筐体は、前記画面の外側に配置された透明部材と、この透明部材の外側に配置された不透明部材とを有し、前記導光路は、前記透明部材と、前記透明部材に形成され外光を前記照度センサに向けて反射させる光反射面とを含んで構成され、前記不透明部材は、前記透明部材の前方に位置する部分を有し、前記光反射面は、前記透明部材の前方に位置する前記不透明部材の部分の後方に配置されている。
【発明の効果】
【０００５】
本発明によれば、導光路が透明部材を利用して構成されているので製造コストの低減を図る上で有利となり、導光路に形成された光反射面が不透明部材によって隠されるため、外観性の向上を図る上で有利となる。
【発明を実施するための最良の形態】
【０００６】
次に、本発明の実施の形態について図面を参照して説明する。
本実施の形態では、本発明のディスプレイ装置がテレビジョン装置１０に適用された場合について説明する。
図１は実施の形態によるテレビジョン装置１０の正面図、図２は図１のＡＡ線断面図、図３はテレビジョン装置１０の画面輝度を調整する制御系の構成を示すブロック図である。
図１、図２に示すように、テレビジョン装置１０は、表示装置１２と、筐体１４と、照度センサ１６と、導光路１８と、制御部２０（図３）などを含んで構成されている。
表示装置１２は、動画や静止画が表示される画面１２０２を有するものである。
本実施の形態では、表示装置１２として液晶表示装置を用いているが、表示装置１２としては、有機ＥＬ表示装置、あるいは、ＣＲＴなど従来公知のさまざまな表示装置が採用可能である。
表示装置１２は、長辺と短辺を有する横長の矩形板状を呈し厚さ方向の一方の面が画面１２０２とされ、他方の面が背面とされる。
【０００７】
図３に示すように、テレビジョン装置１０は、上記の照度センサ１６、制御部２０、表示装置１２に加えて表示制御部２１を含んで構成されている。
照度センサ１６は、テレビジョン装置１０が設置された周囲環境の照度、すなわち、室内の照度を検出して検出信号を制御部２０に供給するものであり、フォトトランジスタやフォトダイオードなど従来公知のさまざまな照度センサが採用可能である。
制御部２０は、テレビジョン装置１０の各部の制御を司るものであり、例えば、ＣＰＵ、制御プログラムなどを格納するＲＯＭ、ワーキングエリアを提供するＲＡＭ、周辺回路とのインタフェースをとるインタフェース部などがバスによって接続されたマイクロコンピュータによって構成されたものであり、前記ＣＰＵが制御プログラムを実行することにより機能するものである。
制御部２０は、照度センサ１６から供給される検出信号に基づいて表示装置１２の画面１２０２の輝度を制御するための輝度制御信号を生成して表示制御部２１に供給する。
表示制御部２１は、表示装置１２の画面１２０２に表示される画像の制御を司るものであり、制御部２０から供給される輝度制御信号に基づいて画面１２０２の輝度を制御する。
具体的には、表示制御部２１は、輝度調整回路あるいはコントラスト調整回路を含んで構成されている。
表示制御部２１は、前記輝度制御信号に基づいて輝度調整回路あるいはコントラスト調整回路を制御することで画面１２０２の輝度を、テレビジョン装置１０が設置された周囲環境の照度に合わせて自然で見やすい値に調整する。
本実施の形態では、制御部２０および表示制御部２１によって特許請求の範囲の制御部が構成されている。
【０００８】
筐体１４は、表示装置１２を収容するものであり、矩形板状を呈している。
なお、本実施の形態では、筐体１４の左右は画面１２０２の前方から見ていうものとする。
筐体１４は、その前面を構成する前板部２２を備え、前板部２２の下端に交差する下端面の中央からスタンド２４が突設されている。
前板部２２は、画面１２０２の四辺に沿って配置された矩形状の枠部２６と、枠部２６の下辺の下方に配置される化粧板２８とを含んで構成されている。
化粧板２８は、枠部２６の下辺の直下に位置して左右に延在する透明部材３０と、透明部材３０の左右側方に配置された横部材３２と、それら透明部材３０および横部材３２の下部の前方で左右に延在する下部材３４とを含んで構成されている。
【０００９】
透明部材３０は筐体１４のデザイン性を高める加飾部品である。
透明部材３０は、光を透過する透明材料で形成され、このような透明材料として、例えば、アクリル樹脂やポリカーボネート樹脂などの従来公知のさまざまな合成樹脂材料が採用可能である。
下部材３４および横部材３２は、光が透過しない不透明材料で形成され、このような不透明材料として、例えば、ポリカーボネートＡＢＳ樹脂、ＰＳ樹脂、ＡＢＳ樹脂などの従来公知のさまざまな合成樹脂材料が採用可能である。
したがって、本実施の形態では、特許請求の範囲の透明部材が透明部材３０に相当しており、特許請求の範囲の不透明部材が下部材３４に相当しており、透明部材３０は画面１２０２の下辺に沿って左右に延在しており、下部材３４は、透明部材３０の下部の前方で透明部材３０に沿って左右に延在している。
【００１０】
さらに透明部材３０について説明する。
図４は透明部材３０の後面図、図５は図４の要部拡大図、図６は膨出部４４部分の平面図、図７は図６のＡＡ線断面図である。
図８は透明部材３０を後方から見た斜視図、図９は図８の要部拡大斜視図、図１０は図９のＡＡ線断面の斜視図である。
図４、図８に示すように、透明部材３０は、単一の平面上を延在する均一厚さの本体板部３００２を有している。
図２、図５乃至図７、図９、図１０に示すように、本体板部３００２の後面３００４の幅方向の一端（下端）寄りの箇所に膨出部４４が膨出形成されている。
膨出部４６に光反射面４０と光出射面４２が形成されている。
本実施の形態では、図２に示すように、本体板部３００２の前方および後方に、部品や部材、壁部が配置されていない。
したがって、筐体１４の前方から本体板部３００２を見ると、本体板部３００２を透かして本体板部３００２の後方が視認され、これによりあたかも筐体１４の枠部２６の下辺が化粧板２８の下部材３４から浮き上がった状態に見え、テレビジョン装置１０のデザイン性が高められている。
【００１１】
外光を照度センサ１６に導く導光路１８は、上述の透明部材３０と、透明部材３０に形成され外光を照度センサ１６に向けて反射させる光反射面４０とを含んで構成されている。
枠部２６の下辺と下部材３４との間に位置する透明部材３０の前面の箇所が、外光を入射する光入射部３８となっている。
光入射部３８から透明部材３０に入射した外光は、透明部材３０の内部を通過したのち、透明部材３０に形成された光反射面４０に至り、光反射面４０で反射され光出射面４２から照度センサ１６に照射される。
光反射面４０は、下部材３４の上端の後方かつ下方に位置する透明部材３０の箇所に、前方かつ下方を向いて形成されている。
照度センサ１６は、下部材３４の後方に配置されている。
言い換えると、光反射面４０および照度センサ１６は、画面１２０２の前方から見て下部材３４の輪郭内に配置されている。
【００１２】
以上説明したように、本実施の形態によれば、外光を照度センサ１６に導く導光路１８が透明部材３０を利用して構成されているので、部品点数の削減が図れ、部品コストおよび組み立てコストの低減を図る上で有利となる。
また、光反射面４０が下部材３４の上端の後方に配置され、ユーザーが画面１２０２の前方から透明部材３０を見た際に、光反射面４０が下部材３４によって隠されるため、外観性の向上を図れ、製品の商品価値を高める上で有利となる。
【００１３】
また、本実施の形態では、照度センサ１６が下部材３４の後方に配置されているので、ユーザーが画面１２０２の前方から透明部材３０を見た際に、光反射面４０と共に照度センサ１６が下部材３４によって隠されるため、外観性の向上を図る上でより一層有利となる。
また、照度センサ１６に外光を導くにあたって、透明部材３０の外観には何ら影響を与えないため、筐体１４の枠部２６の下辺が化粧板２８の下部材３４から浮き上がった状態に見え、テレビジョン装置１０のデザイン性が高められ、テレビジョン装置１０のデザイン性の自由度を確保する上で有利となる。
【００１４】
なお、本実施の形態では、ディスプレイ装置がテレビジョン装置１０に適用された場合について説明したが、本発明は、デスクトップ型のパーソナルコンピュータのモニタ装置、ノート型パーソナルコンピュータ、ディスプレイ装置を有するビデオカメラやデジタルスチルカメラなどの撮像装置、ＰＤＡ、携帯電話機などに用いることができることは無論のこと、ディスプレイ装置を備える種々の電子機器に広く用いることができる。
【図面の簡単な説明】
【００１５】
【図１】実施の形態によるテレビジョン装置１０の正面図である。
【図２】図１のＡＡ線断面図である。
【図３】テレビジョン装置１０の画面輝度を調整する制御系の構成を示すブロック図である。
【図４】透明部材３０の後面図である。
【図５】図４の要部拡大図である。
【図６】膨出部４４部分の平面図である。
【図７】図６のＡＡ線断面図である。
【図８】透明部材３０を後方から見た斜視図である。
【図９】図８の要部拡大斜視図である。
【図１０】図９のＡＡ線断面の斜視図である。
【符号の説明】
【００１６】
１０……テレビジョン装置、１２０２……画面、１２……表示装置、１４……筐体、１６……照度センサ、１８……導光路、２０……制御部、２１……表示制御部、３０……透明部材、３４……下部材。
【図１】
0005071723.tif 000002
【図２】
0005071723.tif 000003
【図３】
0005071723.tif 000004
【図４】
0005071723.tif 000005
【図５】
0005071723.tif 000006
【図６】
0005071723.tif 000007
【図７】
0005071723.tif 000008
【図８】
0005071723.tif 000009
【図９】
0005071723.tif 000010
【図１０】
0005071723.tif 000011